(57)【要約】【課題】  巻取ドラムが円筒形であって、その円筒形が変形しないように両端の鍔板と連結でき、しかも、その連結強度が強固となる段ボール鍔のボビンを提供する。【解決手段】  厚紙または段ボールを丸めた円筒形の巻取ドラムと、その両端に結合される１対の鍔板との組合せからなり、巻取ドラムの両端に多数の連結片を周方向に等間隔にそれぞれ長く突設するとともに、連結片の先端に横へ突出する逆止爪を形成し、鍔板には、巻取ドラムが円筒縁で突き合う位置に連結片の通し孔を余裕の有る幅で形成し、それよりも中心寄りには、連結片先端の逆止爪を反転して通す掛止切込みを穿設した。【選択図】    図１
2004307207.tif 000002
【特許請求の範囲】
【請求項１】
厚紙または段ボールを丸めた円筒形の巻取ドラムと、その両端に結合される１対の鍔板との組合せからなり、巻取ドラムの両端に多数の連結片を周方向に等間隔にそれぞれ長く突設するとともに、連結片の先端両角に横へ突出する逆止爪を形成し、鍔板には、巻取ドラムが円筒縁で突き合う位置に連結片の通し孔を余裕の有る幅で形成し、それよりも中心寄りには、連結片先端の逆止爪を反転して差す掛止切込みを穿設したことを特徴とする段ボール鍔のボビン。
【請求項２】
連結片の先端の逆止爪が、両側に突出する角状であるもの、二等片三角形の底辺部両側が突出して形成されるもの、又は、円形に近い形状の両側端部が突出して形成されるもの等、差し込みやすく抜けにくい形状であることを特徴とする請求項１記載の記載段ボール鍔のボビン。
【請求項３】
鍔板に穿設された逆止爪用の掛止切込みが、連結片の両逆止爪を一旦曲げて通す端折れ部を有するコ字形ないし〕形に形成されていることを特徴とする請求項１又は２記載の段ボール鍔のボビン。
【請求項４】
厚紙または段ボールを丸めた円筒形の巻取ドラムと、その両端に嵌められる１対の鍔板との組合せからなり、巻取ドラムの両端に鍔板に差し込まれる多数の連結片を周方向に等間隔にそれぞれ長く突設するとともに、連結片には、差し込み方向の両側に横へ突出する抜け止め用の中途逆止爪を形成し、突出基端に鍔板の外側で折る基端折れ線を形成し、また、中途逆止爪の手前には反転折れ線を形成し、さらに、巻取ドラムの両端縁には、連結片の突出位置近くにおいて連結片が反転した先端部が刺さる止め孔を設け、鍔板には、連結片が前記反転折れ線の間で掛かる反転通し孔を設けたことを特徴とする段ボール鍔のボビン。
【請求項５】
連結片の中途逆止爪の手前に設けられた反転折れ線が、二つ折り状に折る一対の反転折れ線に形成されていることを特徴とする請求項４記載の段ボール鍔のボビン。
【請求項６】
鍔板に設けられた反転通し孔が、連結片の中途逆止爪が一旦曲がって通るように両端に端折れ部を有するコ字形ないし〕形に形成されていることを特徴とする請求項４又は５記載の段ボール鍔のボビン。
【請求項７】
厚紙または段ボールを丸めた円筒形の巻取ドラムと、その両端に結合される一対の鍔板とからなり、巻取ドラムが帯状の両端を突き合わせて、その突合せ線の両側にわたって添え板を接着して円筒形が保持されていることを特徴とする段ボール鍔のボビン。
【発明の詳細な説明】
【技術分野】
【０００１】
この発明は、長尺資材を巻き取る巻取ドラムと、その両端の鍔板とのうち、少なくとも鍔板が段ボール製である段ボール鍔のボビンに関する。
【背景技術】
【０００２】
段ボール鍔のボビンは、巻取ドラムを段ボールまたは厚紙で組み立てられることが多く、軽量で取扱いやすいこと、安価であること等から、例えば、各種ケーブルや梱包用ロープ、水密用ゴム紐等を巻き取るために多用されるが、木やプラスチック等に比較して段ボールの強度が問題となり、そのため、特に、巻取ドラムと鍔板との連結強度や、巻取ドラムの形状保持強度を持たせるために様々な工夫がなされている。
【０００３】
巻取ドラムと鍔板との結合については、巻取ドラムは、一般的に段ボールまたは厚紙を円筒形に丸めた構造になされるので、その円筒形の両端に周方向へ等間隔に切れ目を形成することにより、外周方向へ直角に屈折した連結片を設け、それを鍔板に接着することが考えられる。しかし、連結片を直角に曲げる屈折線が円弧に沿う関係から完全な直線とならないので、連結片を正常に曲げることはできない。つまり、無理に曲げるとドラムの縁が凹む変形が生じることになる。
【０００４】
巻取ドラムと両端の鍔板との結合について、実開平２−４８６４号公報においては、巻取ドラムの端にその長手方向への突片を等間隔おきに突設し、鍔板にはそれが差し込まれる連結孔が設けられる。また、同公報においては、巻取ドラムが多数の胴板からなっており、胴板を回し方向に順次連結した多角筒型であって、各胴板は両端にひだ部を有するコ字型に屈折されているので、この場合、隣接する胴板のひだ部を止着して回し方向の連結がなされる。
【０００５】
このような段ボール鍔のボビンでは、ひだ部を合わせた部分がリブとなり、巻取ドラムの強度が保持されるが、巻取ドラムが胴板の枚数の多角形状となるので、長尺資材の巻取りに段々が付く不都合があり、また、鍔板との連結については、突片が連結孔から抜けやすく、全体的な組立て状態が安定しないという問題があった。
【発明の開示】
【発明が解決しようとする課題】
【０００６】
この発明は、上記のような実情に鑑みて、巻取ドラムが円筒形であって、その円筒形が変形しないように両端の鍔板と連結でき、しかも、その連結強度が強固となる段ボール鍔のボビンを提供することを目的とした。
【課題を解決するための手段】
【０００７】
上記の目的を達成するために、第１発明は、厚紙または段ボールを丸めた円筒形の巻取ドラムと、その両端に結合される１対の鍔板との組合せからなり、巻取ドラムの両端に多数の連結片を周方向に等間隔にそれぞれ長く突設するとともに、連結片の先端に横へ突出する逆止爪を形成し、鍔板には、巻取ドラムが円筒縁で突き合う位置に連結片の通し孔を余裕の有る幅で形成し、それよりも中心寄りには、連結片先端の逆止爪を反転して通す掛止切込みを穿設したことを特徴とする段ボール鍔のボビンを提供する。
【０００８】
なお、連結片の先端の逆止爪が、両側に突出する角状であるもの、二等片三角形の底辺部両側が突出して形成されるもの、又は、円形に近い形状の両側端部が突出して形成されるもの等、差し込みやすく抜けにくい形状であることが望ましい。また、鍔板に穿設された逆止爪用の掛止切込みが、連結片の両逆止爪を一旦曲げて通す端折れ部を有するコ字形ないし〕形に形成されていることも望ましい。
【０００９】
また、第２発明は、厚紙または段ボールを丸めた円筒形の巻取ドラムと、その両端に嵌められる１対の鍔板との組合せからなり、巻取ドラムの両端に鍔板に差し込まれる多数の連結片を周方向に等間隔にそれぞれ長く突設するとともに、連結片には、差し込み方向の両側に横へ突出する抜け止め用の中途逆止爪を形成し、突出基端に鍔板の外側で折る基端折れ線を形成し、また、中途逆止爪の手前には反転折れ線を形成し、さらに、巻取ドラムの両端縁には、連結片の突出位置近くにおいて連結片が反転した先端部が刺さる止め孔を設け、鍔板には、連結片が前記反転折れ線の間で掛かる反転通し孔を設けたことを特徴とする段ボール鍔のボビンを提供するものである。
【００１０】
なお、連結片の中途逆止爪の手前に設けられた反転折れ線が、二つ折り状に折る一対の反転折れ線に形成されていることが望ましい。また、鍔板に設けられた反転通し孔が、連結片の中途逆止爪が一旦曲がって通るように両端に端折れ部を有するコ字形ないし〕形に形成されていることも望ましい。
【００１１】
また、第３発明は、厚紙または段ボールを丸めた円筒形の巻取ドラムと、その両端に結合される一対の鍔板とからなり、巻取ドラムが帯状の両端を突き合わせて、その突合せ線の両側にわたって添え板を接着して円筒形が保持されていることを特徴とする段ボール鍔のボビンを提供するものである。
【００１２】
第１及び第２発明は、段ボール鍔のボビンを上記のように構成したから、巻取ドラムを展開すると、両側に連結片が足状に突設するムカデのような形態であって、これを丸めるて円筒形に組み立てると、両端に円周縁に沿って連結片が等間隔に突設しているので、鍔板と組み付けるときには、その各通し孔に連結片を通してから、各連結片を順次掛止切込み又は止め孔に差し付ける。掛止切込み又は反転通し孔は、両端に端折れ部を有するので、差し込みに際しては連結片の両逆止爪を曲げることによりその端折れ部に通してから復帰させると、掛止切込み又は反転通し孔の長さ以上に両側に逆止爪がはみ出るので、連結片は決して抜けることはなく、巻取ドラムと鍔板との組合せが強固に保持される。
【００１３】
連結片は、通し孔を通ってから中心方向に向かって直角に曲げられるが、その位置が巻取ドラムの端からやゝ離れた箇所であるので、直角の曲げが巻取ドラムの円筒形に変形させる影響を及ぼすことはない。また、第３発明では、巻取ドラムの帯板が両端で突き合わされて、添え板の接着でその状態が保持されるので、長尺資材を都合良く丸く巻取り得るよう段差のない円筒形が保持される。
【発明の効果】
【００１４】
以上説明したように、この発明の段ボール鍔のボビンによれば、巻取ドラムが円筒形であって、その円筒形が変形しないように両端の鍔板と連結できるために、長尺資材を丸く巻き取りやすく端整に組み立てることができ、しかも、巻取ドラムと両鍔板との連結強度が強固となるため、各種長尺資材の巻き取りを支障なく円滑になしうるという優れた効果がある。
【発明を実施するための最良の形態】
【００１５】
次に、この発明の実施の形態を図面に基づいて説明する。
【００１６】
図１ないし図７は、この発明の一実施の形態を示したもので、その段ボール鍔のボビンＢは、厚紙からなる巻取ドラム１と、その両端に組み付けられる段ボール製の鍔板２，２と、厚紙の添え板４とからなっている（図１）。なお、巻取ドラム１や添え板４に段ボールを使用することもできる。
【００１７】
巻取ドラム１は、その展開図から見ると（図２）、両鍔板２の間隔の幅に形成される帯状であって、両側に連結片３，３，・・を長手方向に断続的に多数突設した言わばムカデ状であって、両端を突き合わせてその突合せ線２０の両方にわたるように添え板４が内側に当てられ接着してある。また、こうして面一となっている外側には粘着テープ６を張り合わせて円筒形が保持される。
【００１８】
各連結片３は、差し込みやすいよう先端に行くにつれてやゝ幅狭く形成し、先端の両側に脱出止めの逆止爪５，５が突設される。この場合、幅狭くするために連結片３の両側縁は互いに接近する方向に傾斜している。しかし、段差を付けて幅狭くすることもある。
【００１９】
連結片３の先端には、図７に示すように、両側に脱出止めの横に張り出る逆止爪５，５を突設してある。逆止爪５は、差し込みに抵抗がないように先端角に丸みを有するが、後端が直角の掛止角となっている。また、各連結片３には、基端近くと先端部近くにそれぞれ内側への折れ線７，９が形成されている。
【００２０】
両鍔板２，２は、その円形の中心に軸受孔１１を設け、軸受孔１１を中心に仮想円に沿って連結片３の通し孔１３，１３，・・を等間隔に穿設し（図３）、さらに、中心寄り位置に先差しされる掛止切込み１５，１５，・・を設けてある。つまり、連結片３は、まず通し孔１３に通してから先端を両逆止爪５，５と共に掛止切込み１５に通して先止めされる。
【００２１】
通し孔１３は、連結片３を先の両逆止爪５，５と共に通しうる横長の矩形であるが、連結片３の厚みに対しては幅に余裕があり、この余裕があることと、連結片３の折れ線７が通し孔１３を通過した後で屈折されることから、連結片３の折れ線７での屈折が巻取ドラム１の円形にほとんど変形を及ぼさない。
【００２２】
掛止切込み１５は、両端に端折れ部１６，１６を有するコ字型または〕字型であって、連結片３の先端の幅Ｗが掛止切込み１５の長さにほゞ等しいので（図４）、通すときには先端の両逆止爪５，５を折り曲げて端折れ部１６，１６に通してから復帰させると、決して抜けない状態となる（図５，図６）。
【００２３】
図８および図９は、図７に対応するもので、それぞれ連結片３の先端の逆止爪５，５の形状についての別の形態を示したもので、図８の連結片３では、先端に二等片三角形の片を形成し、その底辺の両側が突出して逆止爪５，５となっている。また、図９の連結片３では、先端に円形の片を形成し、その両側が突出して逆止爪５，５となっている。しかし、通し孔１３や掛止切込み１５に通しやすく抜けがたい形状であればこれらに限定されるものではない。例えば、台形型や半円形型などであっても良いことは言うまでもない。
【００２４】
図１０ないし１５は、別の実施の形態を示したもので、この場合は、その段ボール鍔のボビンは、巻取ドラム１と、両端の鍔板２，２の他に、その両方にそれぞれ接合される内鍔２ａ，２ａを有する。
【００２５】
巻取ドラム１は、その展開図から見ると（図１１）、同じように帯状の両側連結片３，３，・・を長手方向に断続的に多数突設したムカデ状であるが、連結片３は、両側に中途逆止爪２１，２１が突設され、先端部には巾中央に突部片２２が形成される。連結片３には、基端近くに外周方向への基端折れ線２３が、中途の逆止爪５の手前においてほゞ鍔板２の厚みの間隔で一対の反転折れ線２５，２５が形成される。そして、反転先の先端部突部片２２が差し込まれるコ字形ないし〕形の止め孔２７，２７，・・が連結片３の突出基端近くに形成される。なお、巻取ドラム１の組み立てについては、同様に、突合せ線２０の両方にわたって添え板４および粘着テープ６が張り合わされる。
【００２６】
鍔板２は、前記実施の形態では円板状であったが、巻取ドラム１が嵌まる内径のリング板状であって、リング巾中央位置に、前記の反転折れ線２５，２５の間で連結片３が通る反転通し孔２９，２９，・・が形成される。
【００２７】
そこで、巻取ドラム１の両端に鍔板２，２を取り付けるには、その鍔板２の内側に嵌めた巻取ドラム１連結片３を外側で基端折れ線２３で折り曲げながら反転通し孔２９に通し、こうして鍔板２の内側に折り込んだ連結片３の先端部の突部片２２を巻取ドラム１の止め孔２７に差して止められ、また、反転通し孔２９に中途逆止爪２１，２１が抜けないように掛かるために、安定した組み立て状態が保持される。
【００２８】
反転通し孔２９に中途逆止爪２１，２１を通すために、その反転通し孔２９は、両端に端折れ部３０，３０を有するコ字形ないし〕形の切り込みにより形成される。なお、内鍔２ａ，２ａは、この鍔板２の取り付け前に巻取ドラム１に挿入され、巻き取る線やコード等が連結片３に掛からないように鍔板２に当てられる。
【図面の簡単な説明】
【００２９】
【図１】第１発明の一実施の形態による段ボール鍔のボビンを示す一部切欠した正面図である。
【図２】同段ボール鍔のボビンにおける巻取ドラムの展開図である。
【図３】同段ボール鍔のボビンにおける鍔板の正面図である。
【図４】巻取ドラムと鍔板とを組合せるための連結片の通し操作要領を示す斜視図である。
【図５】図１のＡ−Ａ線矢視の断面図である。
【図６】連結片を掛止切込みに通した状態を示す斜視図である。
【図７】同段ボール鍔のボビンにおける連結片を示す平面図である。
【図８】他の実施の形態による連結片を示す平面図である。
【図９】さらに他の実施の形態による連結片を示す平面図である。
【図１０】第２発明の一実施の形態を示す段ボール鍔のボビンを示す一部切欠した正面図である。
【図１１】同段ボール鍔のボビンにおける巻取ドラムの展開図である。
【図１２】同段ボール鍔のボビンにおける鍔板の正面図である。
【図１３】同段ボール鍔のボビンにおける内鍔の正面図である。
【図１４】同段ボール鍔のボビンの一部の斜視図において一片の連結片を止める中途で示す斜視図である。
【図１５】同段ボール鍔のボビンにおける連結片の平面図である。
【符号の説明】
【００３０】
１  巻取ドラム
２  鍔板
３  連結片
４  添え板
５  逆止爪
７，９  折れ線
１３  通し孔
１５  掛止切込み
１６  端折れ部
２０  突合せ線
２１  中途逆止爪
２２  先端部突出片
２３  基端折れ線
２５  反転折れ線
２７  止め孔
２９  反転通し孔
３０  端折れ部
【図１】
2004307207.tif 000003
【図２】
2004307207.tif 000004
【図３】
2004307207.tif 000005
【図４】
2004307207.tif 000006
【図５】
2004307207.tif 000007
【図６】
2004307207.tif 000008
【図７】
2004307207.tif 000009
【図８】
2004307207.tif 000010
【図９】
2004307207.tif 000011
【図１０】
2004307207.tif 000012
【図１１】
2004307207.tif 000013
【図１２】
2004307207.tif 000014
【図１３】
2004307207.tif 000015
【図１４】
2004307207.tif 000016
【図１５】
2004307207.tif 000017